(57)【要約】【課題】水を水槽内に安定してしかも均等に供給することができる洗濯機を提供する。【解決手段】洗濯兼脱水槽３を回転自在に内包した水槽（図示せず）と、水道水給水用の給水弁（図示せず）と、風呂水を吸水する風呂水バスポンプ（図示せず）と、一端に水槽内に開放した排出孔１８ｃが配され、他端に給水弁と風呂水バスポンプにそれぞれ連通すると共に貫通孔１８ｅ、１８ｆを有するパイプ部Ａ１８ａとパイプ部Ｂ１８ｂが配された注水口金１８とを備え、貫通孔１８ｅ、１８ｆの内部に仕切り板１８ｄを配したもので、水道水あるいは／および風呂水を水槽内に供給する場合に、注水口金１８内で仕切り板１８ｄにより水の流れが安定し、排水孔１８ｃからの給水パターンが片寄らず一定した状態で水槽に水を供給することができ、また、パターンが一定になることで布への水のかかりが均等になり、すすぎ性能を向上させることができる。【選択図】図１
2006043028.tif 000002
【特許請求の範囲】
【請求項１】
洗濯兼脱水槽を回転自在に内包した水槽と、水道水給水用の給水弁と、風呂水を吸水する風呂水バスポンプと、一端に前記水槽内に開放した排出孔が配され、他端に前記給水弁と前記風呂水バスポンプにそれぞれ連通すると共に貫通孔を有するパイプ部Ａとパイプ部Ｂが配された注水口金とを備え、前記パイプ部Ａと前記パイプ部Ｂのそれぞれの前記貫通孔の内部に仕切り板を配したことを特徴とする洗濯機。
【発明の詳細な説明】
【技術分野】
【０００１】
本発明は、洗濯機に関するもので、特に水道蛇口から、あるいは風呂水を吸水する風呂水バスポンプから洗濯水を供給して水槽に給水する洗濯機に関するものである。
【背景技術】
【０００２】
従来、水道に連結された給水弁に加え、お風呂の水を給水するポンプを備えて、風呂水を利用して洗濯できるようにした洗濯機が有る（例えば、特許文献１参照）。
【０００３】
以下に、従来のこの種の洗濯機について、図２、３を用いて説明する。
【０００４】
図２、３において、洗濯機本体１は、内部に水槽２と、この水槽２に回転自在に内包した洗濯兼脱水槽３を設けており、洗濯兼脱水槽３の内底部に撹拌翼４を回転自在に配設している。この撹拌翼４は、減速機構５を介してモータ６により駆動される。水槽２の底部に排水口７を介して連通する排水弁８を設け、この排水弁８は機内ホース９を介して機外ホース１０を通じ、下水孔１１に接続している。
【０００５】
洗濯機本体１の上部に水槽２を覆う天板１２を設け、この天板１２に操作箱１３を配設している。操作箱１３には、制御手段１４で制御され、機外の水道蛇口から供給される水道水を開閉する給水弁１５と、風呂水を吸水して水槽２内へ供給するための風呂水バスポンプ１６が配設されている。
【０００６】
給水弁１５からの給水は、連通ホースＡ１７を介して注水口金１８のパイプ部Ａ１８ａに供給され、注水口金１８の他端の水槽２内に開放された排出孔１８ｃから水槽２内に供給される。また、風呂水バスポンプ１６からの給水は連通ホースＢ１９を介して注水口金１８のパイプ部Ｂ１８ｂに供給され、注水口金１８の内部を連通し他端の水槽２内に開放された排出孔１８ｃから水槽２内に供給される。また、２０は、水槽２内の水位を検知する水位検知手段である。
【特許文献１】特開２００４−１７３７４４号公報
【発明の開示】
【発明が解決しようとする課題】
【０００７】
しかしながら、このような従来の洗濯機の構成では、水道から水が供給される場合、給水弁１５で制御された水道水は、連通ホースＡ１７を通過して注水口金１８のパイプ部Ａ１８ａから注水口金１８内部に供給されるが、水道水圧が高い場合は水の流れが変化し、他端の水槽２内に開放された排出孔１８ｃから吐出するときに片寄った水の流れ状態になっており、見栄えが悪く、又、一定した給水パターンが得られず、そのため水が布に均等にかからず、十分なずすすぎ性能が得られないという課題があった。
【０００８】
また、注水口金１８には、風呂水を吸水して水槽２内に供給するための風呂水バスポンプ１６からの連通ホースＢ１９も同時に接続されており、前記水道水の水圧とは反対に低い場合でも同じように水の流れが片寄った状態になっており、一定した給水パターンが得られず、同様の課題が生じていた。
【０００９】
本発明は上記従来の課題を解決するもので、水道水あるいは風呂水を水槽内に供給する場合に、注水口金内での水の流れを安定させ、排出孔から水槽内への給水パターンを一定に、すすぎ性能を向上させた洗濯機を提供することを目的としている。
【課題を解決するための手段】
【００１０】
前記従来の課題を解決するために、本発明の洗濯機は、洗濯兼脱水槽を回転自在に内包した水槽と、水道水給水用の給水弁と、風呂水を吸水する風呂水バスポンプと、一端に前記水槽内に開放した排出孔が配され、他端に前記給水弁と前記風呂水バスポンプにそれぞれ連通すると共に貫通孔を有するパイプ部Ａとパイプ部Ｂが配された注水口金とを備え、前記パイプ部Ａと前記パイプ部Ｂのそれぞれの前記貫通孔の内部に仕切り板を配したもので、水道水あるいは／および風呂水を水槽内に供給する場合に、注水口金内で仕切り板により水の流れが安定し、排水孔からの給水パターンが片寄らず一定した状態で水槽に水を供給することができ、また、パターンが一定になることで布への水のかかりが均等になり、すすぎ性能を向上させることができる。
【発明の効果】
【００１１】
本発明の洗濯機は、水道水あるいは風呂水を水槽内に供給する場合に注水口金内での水の流れを安定させることで、排水孔からの給水パターンが片寄らず一定した状態になり、それにより布への水のかかりが均等になることですすぎ性能を向上させることができる。
【発明を実施するための最良の形態】
【００１２】
第１の発明は、洗濯兼脱水槽を回転自在に内包した水槽と、水道水給水用の給水弁と、風呂水を吸水する風呂水バスポンプと、一端に前記水槽内に開放した排出孔が配され、他端に前記給水弁と前記風呂水バスポンプにそれぞれ連通すると共に貫通孔を有するパイプ部Ａとパイプ部Ｂが配された注水口金とを備え、前記パイプ部Ａと前記パイプ部Ｂのそれぞれの前記貫通孔の内部に仕切り板を配したもので、水道水あるいは／および風呂水を水槽内に供給する場合に、注水口金内で仕切り板により水の流れが安定し、排水孔からの給水パターンが片寄らず一定した状態で水槽に水を供給することができ、また、パターンが一定になることで布への水のかかりが均等になり、すすぎ性能を向上させることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における洗濯機の要部断面図である。なお、上記従来例と同一部分については、同一符号を付してその説明を省略する。
【００１５】
図１において、洗濯機本体１上部に配設した操作箱１３内に設けられた注水口金１８の一端に前記水槽２内に開放された排出孔１８ｃが設けられ、他端には給水弁１５と連通した連通ホースＡ１７および風呂水バスポンプ１６と連通した連通ホースＢ１９を装着するパイプ部Ａ１８ａとパイプ部Ｂ１８ｂが配設されている。パイプ部Ａ１８ａ、パイプ部Ｂ１８ｂには、それぞれ貫通孔１８ｅ、１８ｆが設けられている。
【００１６】
この注水口金１８の給水弁１５と連通したパイプ部Ａ１８ａの貫通孔１８ｅの内部の一部には水道水の水圧に合わせてパイプ部Ａ１８ａの断面積を調整する仕切り板１８ｄが設けられ、また、風呂水バスポンプ１６と連通したパイプ部Ｂ１８ｂの貫通孔１８ｆの一部にも風呂水バスポンプ１６の水圧に合わせてパイプ部Ｂ１８ｂの断面積を調整する仕切り板１８ｄをそれぞれ設けている。
【００１７】
前記パイプＡ１８ａおよびパイプＢ１８ｂ内の仕切り板１８ｄの形状は、仮に流量規制の為に断面積の約半分の通過面積にしているが、水道水圧に合わせて設定している。また、前記仕切り板１８ｄの開放位置はそれぞれを相対する方向に通水部１８ｇを設けており、注水口金１８の排出孔１８ｃから水槽２内への流水パターンが中央に集まるように設けられている。
【００１８】
以上のように、本実施の形態によれば、例えば水道水圧にあわせて注水口金１８のパイプ部Ａ１８ａの貫通孔１８ｅの断面積を調整する仕切り板１８ｄを設けたことにより、給水弁１５からの流水は、図１の矢印のように、パイプ部Ａ１８ａの貫通部１８ｅ内部の仕切り板１８ｄの部分で流量が制限され、水の流れも変化し、注水口金１８内部に流れ込んできた時には、開口部面積に関係なく流れ、注水口金１８の水槽２側の排出孔１８ｃからの流水パターンの片寄りが無くなり、見栄えも良くまた、洗濯布への水かかりも安定し、すすぎ性能などを向上することができる。
【００１９】
また、パイプ部Ａ１８ａおよびパイプ部Ｂ１８ｂの断面積を調整することで水道給水パターンと風呂水バスポンプ１６での給水パターンをあわすことが可能になり、見栄えなどをさらに向上することができる。なお、風呂水バスポンプ１６側についても同様の効果を得ることができる。
【産業上の利用可能性】
【００２０】
以上のように、本発明にかかる洗濯機は、水道水あるいは風呂水を水槽内に供給する場合に注水口金内での水の流れを安定させることで、排水孔からの給水パターンが片寄らず一定した状態で供給され、布への水のかかりが均等になり、すすぎ性能を向上させることができるもので、洗濯機に限らず複数の液体を選択的に利用する各種機器にも適用できるものである。
【図面の簡単な説明】
【００２１】
【図１】本発明の実施の形態１における洗濯機の要部断面図
【図２】従来の洗濯機の縦断面図
【図３】同洗濯機の要部断面図
【符号の説明】
【００２２】
２    水槽
３    洗濯兼脱水槽
１５    給水弁
１６    風呂水バスポンプ
１８    注水口金
１８ａ  パイプ部Ａ
１８ｂ  パイプ部Ｂ
１８ｃ  排出孔
１８ｄ  仕切り板
１８ｅ、１８ｆ  貫通孔
【図１】
2006043028.tif 000003
【図２】
2006043028.tif 000004
【図３】
2006043028.tif 000005